(57)【要約】【課題】装着時に使用者の体と吸収層との間に空間を形成できると共に、使用者の排泄部にベタつき感を感じ難い吸収性物品を提供すること。【解決手段】液保持性の吸収体を含む吸収層６及び吸収層６の非肌当接面側に配置された防漏層３を有する吸収性本体１０と、吸収層６の肌当接面側に配置された複数の帯状の上面固定部材５Ａ，５Ａとを備えた吸収性物品１であって、複数の上面固定部材５Ａ，５Ａは、その長手方向に非伸長性の部材からなり、その長手方向に離間した接合部Ｓ１，Ｓ１で、使用者の排泄部に当たらないように間隔をおいて、吸収性本体１０の肌当接面側に接合されており、離間した接合部Ｓ１，Ｓ１の上面固定部材５Ａ，５Ａの長さは、離間した接合部Ｓ１，Ｓ１の吸収性本体１０の長さよりも短くなっている。【選択図】図１
2007105128.tif 000002
【特許請求の範囲】
【請求項１】
液保持性の吸収体を含む吸収層及び吸収層の非肌当接面側に配置された防漏層を有する吸収性本体と、吸収層の肌当接面側に配置された複数の帯状の上面固定部材とを備えた吸収性物品であって、
前記上面固定部材は、その長手方向に非伸長性の部材からなり、その長手方向に離間した接合部で、使用者の排泄部に当たらないように間隔をおいて、吸収性本体の肌当接面側に接合されており、
離間した接合部間の上面固定部材の長さは、離間した接合部間の吸収性本体の長さよりも短くなっている吸収性物品。
【請求項２】
離間した前記接合部は、前記吸収体よりも長手方向外方に位置している請求項１記載の吸収性物品。
【請求項３】
離間した前記接合部は、前記吸収体よりも幅外方に位置している請求項１記載の吸収性物品。
【請求項４】
前記上面固定部材は、疎水性である請求項１〜３の何れかに記載の吸収性物品。
【請求項５】
前記吸収体の両側部それぞれに沿って立設するサイドギャザーが、長手方向に沿う前記上面固定部材と吸収体の側部との間に亘るように設けられている請求項１〜４の何れかに記載の吸収性物品。
【請求項６】
前記吸収層は、前記吸収体と、吸収体の肌当接面側を被覆するように配置された液透過性の表面シートとからなり、前記防漏層は、液不透過性又は液難透過性で且つ通気性の裏面シートからなり、
吸収体の長手方向前部及び／又は後部は、それぞれ前記吸収性本体の長手方向前部及び／又は後部から長手方向中央部に向けて後退しており、
吸収性本体の長手方向前部と吸収体の長手方向前部との間の領域及び／又は吸収性本体の長手方向後部と吸収体の長手方向後部との間の領域には、疎水性部材を配置した通気部が設けられている請求項１〜５の何れかに記載の吸収性物品。
【請求項７】
前記疎水性部材は、不織布から形成されている請求項６記載の吸収性物品。
【請求項８】
離間した前記接合部は、前記通気部よりも長手方向外方に位置している請求項６又は７に記載の吸収性物品。
【請求項９】
前記防漏層は、前記裏面シートとその外側に貼り付けられた不織布とからなる請求項６〜８の何れかに記載の吸収性物品。
【発明の詳細な説明】
【技術分野】
【０００１】
本発明は、使い捨ておむつ、生理用ナプキン等の吸収性物品に関する。
【背景技術】
【０００２】
使い捨ておむつ等の吸収性物品においては、装着時に使用者の体と吸収層（通常、表面シート及び吸収体の積層体から形成されている）とが密着すると湿気が外部に放出され難くなり、ムレ易い。
【０００３】
特許文献１〜３に記載の吸収性物品は、吸収層の肌当接面側に、装着時に吸収層から離間する上面シートを具備している。そのため、装着時に上面シートにより使用者の体を吸収層から離間させ、使用者の体と吸収層との間に空間を形成することができるため、この空間を通じて湿気が外部に放出され易く、ムレを低減させている。
【０００４】
【特許文献１】特開平２−２９７３６４号公報
【特許文献２】特開２００２−１４３２１７号公報
【特許文献３】特開平１１−２５３４９０号公報
【発明の開示】
【発明が解決しようとする課題】
【０００５】
しかし、特許文献１〜３に記載の吸収性物品においては、上面シートは、平面視で吸収体のほぼ全面に配されており、使用者の排泄部に接触した状態で体を吸収層から離間させることになる。従って、特許文献１〜３に記載の吸収性物品によれば、使用者の排泄部にベタつき感を感じ易く、快適性に欠ける。
【０００６】
従って、本発明の目的は、装着時に使用者の体と吸収層との間に空間を形成できると共に、使用者の排泄部にベタつき感を感じ難い吸収性物品を提供することにある。
【課題を解決するための手段】
【０００７】
本発明は、液保持性の吸収体を含む吸収層及び吸収層の非肌当接面側に配置された防漏層を有する吸収性本体と、吸収層の肌当接面側に配置された複数の帯状の上面固定部材とを備えた吸収性物品であって、前記上面固定部材は、その長手方向に非伸長性の部材からなり、その長手方向に離間した接合部で、使用者の排泄部に当たらないように間隔をおいて、吸収性本体の肌当接面側に接合されており、離間した接合部間の上面固定部材の長さは、離間した接合部間の吸収性本体の長さよりも短くなっている吸収性物品を提供することにより前記目的を達成したものである。
【発明の効果】
【０００８】
本発明の吸収性物品によれば、装着時に使用者の体と吸収層との間に空間を形成できると共に、使用者の排泄部にベタつき感を感じ難い。
【発明を実施するための最良の形態】
【０００９】
以下、本発明の吸収性物品を、その第１実施形態である使い捨ておむつに基づき図面を参照しながら説明する。
第１実施形態の使い捨ておむつ１は、図１〜図３に示すように、実質的に縦長に形成されている展開型のもので、液保持性の吸収体４を含む吸収層６及び吸収層６の非肌当接面側に配置された防漏層３を有する吸収性本体１０と、吸収層６の肌当接面側に配置された複数の上面固定部材５Ａ，５Ａとを備えている。
【００１０】
吸収層６は、吸収体４と、吸収体４の肌当接面側を被覆するように配置された液透過性の表面シート２とからなる。
吸収性本体１０の肌当接面側には、吸収体４の両側部それぞれに沿って立設するサイドギャザー１３Ｂが設けられている。
【００１１】
表面シート２としては、吸収性物品において従来用いられている液透過性のシートを特に制限なく用いることができる。例えば、親水化処理が施された各種不織布や開孔フィルムを用いることができる。
吸収体４としては、吸収性物品において従来用いられている液保持性の材料を特に制限なく用いることができる。例えば、パルプ繊維を堆積させて得られた積繊層、パルプ繊維を原料とする不織布からなるものを用いることができ、高吸収性ポリマーを含有していることが好ましい。
【００１２】
防漏層３としては、例えば、吸収性物品において従来用いられている液不透過性又は液難透過性の裏面シート３１（熱可塑性樹脂のフィルム等）の単層シート、裏面シート３１と不織布３２とのラミネートシートを用いることができる。裏面シート３１は、部分的に削除されて、通気性を有していることが好ましい（詳細は後述）。また、部分的に削除された裏面シート３１をからなる防漏層３においては、外観を考慮して、その外側（非肌当接面側）における全域又は一部の領域に（外層）不織布３２が貼り付けられていることが好ましい。
本実施形態においては、図５に示すように、防漏層３は、多数の開孔３１Ａが設けられた裏面シート３１と、その外側全域に貼り付けられた外層不織布３２とからなる。
【００１３】
尚、本発明において、吸収性本体１０は、吸収層６及び防漏層３を主体とする部材の集合体を意味し、形態によっては、サイドギャザー形成用シート１３（後述）等の部材も含む。また、特に明記のない限り、「長手方向」及び「幅方向」というときは、それぞれ「吸収性物品の長手方向」及び「吸収性物品の幅方向」を意味する。
【００１４】
本実施形態の使い捨ておむつ１（吸収性本体１０）は、図２に示すように、長手方向中央部に股下部Ｃを有し、股下部Ｃから長手方向に背側及び腹側それぞれに延びる背側部Ａ及び腹側部Ｂを有している。吸収性本体１０は、股下部Ｃの両側縁が幅方向内向きの円弧状に湾曲しており、全体として長手方向中央部が内方に括れた砂時計形状となっている。
【００１５】
表面シート２は、吸収体４よりも外形寸法の大きい略矩形状の平面視形状を有しており、裏面シート３１の幅方向中央部に配されている。裏面シート３１は、おむつの外形形状に一致する砂時計状の外形を有している。表面シート２及び裏面シート３１は、それぞれ吸収体４の幅方向両側部及び長手方向前後部から外方に延出しており、それらの延出部において直接的に又は他の部材を介在させて互いに接合されている。
【００１６】
吸収性本体１０の両側部には、それぞれサイドギャザー形成用シート１３，１３が、裏面シート３１の両側部から表面シート２の両側部を覆う位置まで配されている。そのため、裏面シート３１の肌当接面側における表面シート２が配されていない領域は、サイドギャザー形成用シート１３により被覆されている。従って、吸収性本体１０の肌当接面側は、表面シート２及びサイドギャザー形成用シート１３から形成されている。
【００１７】
サイドギャザー形成用シート１３の幅方向内側部は、平面視で吸収体４の両側部よりもそれぞれ幅方向外方の位置から立設し、自由端を形成している。この自由端には、サイドギャザー形成用弾性部材１３Ａが長手方向に沿って伸長状態で挟持固定されて複数本（例えば３本）配されており、これによってサイドギャザー１３Ｂが形成されている。
【００１８】
尚、サイドギャザー形成用シート１３の幅方向内側部は、平面視で吸収体４の両側部よりもそれぞれ幅方向内方の位置から立設し、自由端を形成していてもよい。また、表面シート２を裏面シート３１と同じ形状として、表面シート２のみで吸収体４及び吸収体４の両側部よりも幅方向外側の裏面シート３１の肌当接面側を被覆し、その代わりに、サイドギャザー形成用シート１３が裏面シート３１の肌当接面側を被覆しない（換言すると、サイドギャザー形成用シート１３がサイドギャザー１３Ｂを形成する目的のみで設けられる）構成とすることもできる。また、図１〜図３に示す形態において、表面シート２をサイドギャザー形成用シート１３と裏面シート３１との間にまで延出させることもできる。
【００１９】
背側部Ａの両側部には、それぞれ幅方向外方に延出するサイドフラップ１１，１１が形成されている。各サイドフラップ１１には、ファスニングテープ１２が幅方向外方に延出して取り付けられている。ファスニングテープ１２には、メカニカルファスナーのフック部材（図示せず）が取り付けられている。このフック部材としては吸収性物品において公知のものを特に制限なく用いることができる。
【００２０】
腹側部Ｂの両側部にも、それぞれ幅方向外方に延出するサイドフラップ１１，１１が形成されている。腹側部Ｂにおける防漏層３の非肌当接面には、ファスニングテープ１２を止着自在なランディングテープ１５が設けられている。
【００２１】
吸収性本体１０の両側部には、それぞれ複数本（例えば２本）のレッグ弾性部材１４が略直線状に配されている。レッグ弾性部材１４は、サイドギャザー形成用弾性部材１３Ａよりも幅方向外方において、サイドギャザー形成用シート１３と裏面シート３１との間に伸長状態で挟持固定されており、これによってレッグギャザーが形成されている。
サイドギャザー形成用弾性部材１３Ａ及びレッグ弾性部材１４は、何れも、糸状の形態を有し、吸収性本体１０の長手方向に沿って配設されており、また、背側部Ａと腹側部Ｂとの間に亘って配設されている。
【００２２】
背側部Ａ及び腹側部Ｂにおけるウエスト部Ｄ，Ｄには、それぞれウエスト弾性部材８１，８１が配設されている。ウエスト弾性部材８１は、帯状の形態を有し、吸収性本体１０の幅方向に沿って略全幅に亘って配されている。ウエスト弾性部材８１は、表面シート２又はサイドギャザー形成用シート１３と裏面シート３１との間に伸長状態で挟持固定されており、これによってウエストギャザーが形成されている。
【００２３】
背側部Ａにおける胴回り部Ｅの両側部には、それぞれ複数本（例えば６本）の胴回りギャザー形成用弾性部材８２が配設されている。胴回りギャザー形成用弾性部材８２は、サイドギャザー形成用弾性部材１３Ａよりも幅方向外方において、幅方向に沿って略直線状に配されている。胴回りギャザー形成用弾性部材８２は、サイドギャザー形成用シート１３又は表面シート２と裏面シート３１との間に、直接的に又は他のシートを介在させて伸長状態で挟持されており、これによって左右一対の胴回りギャザーが形成されている。
【００２４】
尚、背側部Ａにおける胴回り部Ｅは、吸収性本体１０を、図２に示すように、その各部の弾性部材を伸張させて平面状に拡げた状態（緊張状態）とし、背側部Ａ側を上側、腹側部Ｂ側を下側と考えた場合に、ウエスト弾性部材８１が配された部位よりも下方に位置し且つ股下部Ｃより上方に位置する部分である。
【００２５】
次に、上面固定部材５Ａについて説明する。上面固定部材５Ａは、その長手方向に非伸長性の帯状シートからなり、液透過性であることが好ましい。液透過性及び非伸長性を兼ね備えたシートとしては、例えば、不織布、網状シート、開孔フィルムが挙げられる。ここでいう「非伸長性」とは、５０ｍｍ幅のシートに１０Ｎの引張荷重を加えたときの伸度が２％以下であることをいう。
【００２６】
上面固定部材５Ａは、その長手方向に非伸長性であるため、吸収性物品１の長手方向に沿って設ければ、吸収性物品１の長手方向に非伸長性となり、吸収性物品１の幅方向に沿って設ければ、吸収性物品１の幅方向に非伸長性となる。本実施形態においては、吸収性物品１の長手方向に非伸長性の不織布からなる。
【００２７】
上面固定部材５Ａは、幅が５〜２０ｍｍの帯状であることが好ましい。また、上面固定部材５Ａは、使用者の排泄部に当たらないように間隔をおいて、複数設けられている。ここでいう「使用者の排泄部に当たらない」とは、通常の使用態様では使用者の排泄部に当たらないという意味である。複数の上面固定部材５Ａ，５Ａの間隔は、適宜設定されるが、使用者の排泄部に当たらないために３〜１５ｃｍが好ましい。
上面固定部材５Ａは、疎水性又は親水性の何れでもよいが、装着時に使用者の体に接触した際のベタつき感を防止する点から、疎水性であることが好ましい。
【００２８】
上面固定部材５Ａは、吸収性本体１０の肌当接面側に吸収性物品１の長手方向に沿って設けられ、上面固定部材５Ａの長手方向（吸収性物品１の長手方向）に離間した接合部Ｓ１，Ｓ１で接合されている。
接合部Ｓ１は、吸収性本体１０の肌当接面（表面シート２の肌当接面）における吸収体４の長手方向前部４Ａ及び後部４Ｂよりも長手方向内方（近傍）に位置している。尚、本発明においては、接合部Ｓ１は、吸収体４の長手方向前部４Ａ又は後部４Ｂよりも長手方向外方に位置していることが好ましく、通気部７（後述）よりも長手方向外方に位置していることが更に好ましい。
【００２９】
離間した接合部Ｓ１，Ｓ１間の上面固定部材５Ａの長さは、離間した接合部Ｓ１，Ｓ１間の吸収性本体１０の長さよりも短くなっている。つまり、離間した接合部Ｓ１，Ｓ１間は、上面固定部材５Ａに沿った長手方向間隔Ｌ１が吸収性本体１０の肌当接面に沿った長手方向間隔Ｌ２よりも短くなっている。吸収性本体１０の肌当接面に沿った長手方向間隔Ｌ２と上面固定部材５Ａに沿った長手方向間隔Ｌ１との差（Ｌ２−Ｌ１）は、適宜設定されるが、好ましくは２０〜９０ｍｍ、更に好ましくは４０〜７０ｍｍである。
さらにベビー用おむつとしては、前記長手方向間隔Ｌ２を長手方向間隔Ｌ１で除した商（Ｌ２／Ｌ１）の値は１．０５〜１．３０である事が好ましく、１．１１〜１．２２である事が更に好ましい。
【００３０】
離間した接合部Ｓ１，Ｓ１間における上面固定部材５Ａに沿った長手方向間隔Ｌ１及び吸収性本体１０の肌当接面に沿った長手方向間隔Ｌ２は、以下の方法で測定される。
本発明においては、離間した接合部Ｓ１，Ｓ１間における離間した接合部Ｓ１，Ｓ１間の上面固定部材５Ａの長さが吸収性本体１０の長さよりも短くなっているため、つまり、上面固定部材５Ａに沿った長手方向間隔Ｌ１が吸収性本体１０の肌当接面に沿った長手方向間隔Ｌ２よりも短くなっているため、自然状態において、吸収層６は、上面固定部材５Ａ側が凹んで長手方向に湾曲し、上面固定部材５Ａは、吸収層６の剛性によって張設された状態になる。
【００３１】
この状態では、上面固定部材５Ａは面方向に直線状になっているため、離間した接合部Ｓ１，Ｓ１間の最短距離が長手方向間隔Ｌ１となる。一方、吸収層６は長手方向に湾曲しているため、吸収性本体１０の肌当接面（本実施形態では表面シート２の肌当接面。表面シートがない形態では通常、吸収体の肌当接面）の湾曲形状に沿って測定した間隔（最短距離ではない）を長手方向間隔Ｌ２とする。
【００３２】
サイドギャザー１３は、長手方向に沿う上面固定部材５Ａと吸収体４の側部との間に亘るように設けられている。従って、上面固定部材５Ａが張設されて吸収層６から離間すると、サイドギャザー１３Ｂが上面固定部材５Ａに引っ張られて立設するようになっている。
【００３３】
次に、通気部７について説明する。図４及び図５に示すように、吸収体４の長手方向前部４Ａ及び後部４Ｂは、それぞれ吸収性本体１０の長手方向前部１０Ａ及び後部１０Ｂから長手方向中央部に向けて後退している。吸収性本体１０の長手方向前部１０Ａと吸収体４の長手方向前部４Ａとの間の領域及び吸収性本体１０の長手方向後部１０Ｂと吸収体４の長手方向後部４Ｂとの間の領域には、それぞれ通気部７，７が設けられている。本実施形態においては、通気部７は、平面視で、腹側部Ｂのウエスト弾性部材８１と吸収体４の長手方向前部４Ａとの間の領域及び背側部Ａのウエスト弾性部材８１と吸収体４の長手方向後部４Ｂとの間の領域に設けられている。
【００３４】
通気部７は、疎水性部材７１が配置されて構成されている。詳細には、通気部７は、疎水性部材７１が表面シート２と裏面シート３１との間において裏面シート３１に接合されて構成されている。そして、通気部７において、裏面シート３１は、その全域あるいは一部の領域が部分的に削除されており、そのため、通気性を有している。裏面シート３１の部分的な削除は、切り抜き、開口、開孔等によって行われる。通気部７においては、防漏層３が使用者の体に向けて押圧されていない状態において、上面固定部材５Ａ及び表面シート２と疎水性部材７１との間が離間していることが好ましい。
【００３５】
疎水性部材７１の幅（吸収性本体１０の幅方向の幅）は、吸収体４の幅の０．３〜１．１倍であることが好ましい。疎水性部材７１の長さ（吸収性本体１０の長手方向の長さ）は、５〜３０ｍｍであることが好ましい。
疎水性部材７１は、疎水性であれば特に制限されないが、開孔フィルムや不織布等から形成されていることが好ましく、特に不織布が望ましい。疎水性部材７１は、裏面シート３１よりも疎水性が高いことが好ましい。少なくとも疎水性部材７１が配置された領域の裏面シート３１は、部分的に削除されている。
【００３６】
前述した構成を有する第１実施形態の使い捨ておむつ１によれば、複数の上面固定部材５Ａ，５Ａは、その長手方向に非伸長性の部材からなり、その長手方向（本実施形態においては吸収性物品１の長手方向）に離間した接合部Ｓ１，Ｓ１で、使用者の排泄部に当たらないように間隔をおいて吸収性本体１０の肌当接面側に接合されており、離間した接合部Ｓ１，Ｓ１間の上面固定部材５Ａの長さは、離間した接合部Ｓ１，Ｓ１間の吸収性本体１０の長さよりも短くなっている。
【００３７】
そのため、図３に示すように、装着時に吸収層６の剛性により上面固定部材５Ａがその長手方向に張設され、上面固定部材５Ａにより使用者の体を吸収層６から離間させることができる。この効果は、使用者が寝ている状態や立っている状態で吸収層６が使用者の体に向けて押圧されていないときに生じ易く、特に使い捨ておむつ１を上方に引っ張り上げたときに顕著となる。
その結果、使用者の体と吸収層６との間に空間が形成され、この空間を通じて湿気が外部に排出され易く、ムレを低減させることができる。
【００３８】
複数の上面固定部材５Ａ，５Ａは、使用者の排泄部に当たらないように間隔をおいて吸収性本体１０の肌当接面側に接合されているため、使用者の排泄部に接触しない状態で体を吸収層６から離間させることができる。そのため、使用者の排泄部にベタつき感を感じ難く、快適性に優れる。
【００３９】
また、装着時に吸収層６は上面固定部材５Ａ側が凹んだ形態で長手方向に湾曲するため、吸収体４の長手方向前部４Ａ及び後部４Ｂで防漏壁が形成される。そのため、尿、便等の排泄物や体液が吸収体４に吸収される前に長手方向に広がったとしても、吸収体４の長手方向前部４Ａ及び後部４Ｂからなる防漏壁により漏れが防止される。
【００４０】
更に、装着時に吸収体４の両側部にはサイドギャザー１３Ｂが立設しているため、排泄物や体液が吸収体４に吸収される前に幅方向に広がったとしても、サイドギャザー１３Ｂにより漏れが防止される。この効果は、サイドギャザー１３Ｂが上面固定部材５Ａに引っ張られて高く安定して立設するため、顕著に奏される。
【００４１】
また、吸収性本体１０の長手方向前部１０Ａと吸収体４の長手方向前部４Ａとの間の領域及び吸収性本体１０の長手方向後部１０Ｂと吸収体４の長手方向後部４Ｂとの間の領域に、通気部７が形成されているため、かかる領域において排泄物や体液が流入せず、厚み方向の通気性が阻害されない。
【００４２】
次に、本発明の吸収性物品の第２実施形態について図面を参照しながら説明する。第２実施形態については、第１実施形態と異なる点を中心に説明し、特に説明しない点については、第１実施形態についての説明が適宜適用される。同じ部材については同じ符号を付し、説明を省略する。
【００４３】
第２実施形態の吸収性物品は、第１実施形態に比して、上面固定部材がその長手方向に非伸長性の部材からなり、その長手方向に離間した接合部で吸収性本体に接合されている点では同じであるが、上面固定部材５Ｂが吸収性物品１の幅方向に沿って設けられ、そのため吸収性物品１の幅方向に非伸長性となっている点が主として異なり、その他の構成は、第１実施形態と同様の構成を有している。
【００４４】
即ち、第２実施形態の使い捨ておむつ１においては、図６に示すように、複数の上面固定部材５Ｂ，５Ｂは、吸収性物品１の幅方向に沿って設けられ、そのため上面固定部材５Ｂの長手方向（吸収性物品１の幅方向）に非伸長性の部材からなる。また、上面固定部材５Ｂは、その長手方向（吸収性物品１の幅方向）に離間した接合部Ｓ２，Ｓ２で、使用者の排泄部に当たらないように間隔をおいて、吸収性本体１０の肌当接面側に接合されており、吸収性物品１の幅方向に離間した接合部Ｓ２，Ｓ２間の上面固定部材５Ｂの長さは、吸収性物品１の幅方向に離間した接合部Ｓ２，Ｓ２間の吸収性本体１０の長さよりも短くなっている。つまり、吸収性物品１の幅方向に離間した接合部Ｓ２，Ｓ２は、上面固定部材５Ｂに沿った幅方向間隔Ｗ１が吸収性本体１０の肌当接面に沿った幅方向間隔Ｗ２よりも短くなっている。
【００４５】
吸収性本体１０の肌当接面に沿った幅方向間隔Ｗ２と上面固定部材５Ｂに沿った幅方向間隔Ｗ１との差（Ｗ２−Ｗ１）は、適宜設定されるが、好ましくは２０〜９０ｍｍ、更に好ましくは４０〜７０ｍｍである。
さらにベビー用おむつとしては、前記幅方向間隔Ｗ２を幅方向間隔Ｗ１で除した商（Ｗ２／Ｗ１）の値は１．３〜３．３である事が好ましく、１．７〜２．７であることが更に好ましい。
【００４６】
吸収性物品１の幅方向に離間した接合部Ｓ２，Ｓ２間における上面固定部材５Ｂに沿った幅方向間隔Ｗ１及び吸収性本体１０の肌当接面に沿った幅方向間隔Ｗ２は、前述した、吸収性物品１の長手方向に離間した接合部Ｓ１，Ｓ１間における長手方向間隔Ｌ１及び長手方向間隔Ｌ２の測定方法に準じて測定される。
【００４７】
吸収性物品１の幅方向に離間した接合部Ｓ２，Ｓ２は、股下部Ｃにおいて、吸収体４の両側部よりも幅方向外方に位置していることが好ましく、本実施形態においては、サイドギャザー１３Ｂの基端部（表面シート２からサイドギャザー形成用シート１３が起立し始める部分）近傍における表面シート２及び／又はサイドギャザー形成用シート１３に位置している。
サイドギャザー形成用シート１３は、その長手方向前後部において表面シート２側に倒れ、表面シート２の肌当接面に接合されている。
【００４８】
前述した構成を有する第２実施形態の使い捨ておむつ１によれば、複数の上面固定部材５Ｂ，５Ｂは、吸収性物品１の幅方向に非伸長性の部材からなり、吸収性物品１の幅方向に離間した接合部Ｓ２，Ｓ２で、使用者の排泄部に当たらないように間隔をおいて、吸収性本体１０の肌当接面側に接合されている。そのため、装着時に吸収層６の剛性により上面固定部材５Ｂが上面固定部材５Ｂの長手方向（吸収性物品１の幅方向）に張設され、上面固定部材５Ｂにより使用者の排泄部に接触しない状態で体を吸収層６から離間させることができる。
【００４９】
また、装着時に吸収層６は上面固定部材５Ｂ側が凹んだ形態で幅方向に湾曲するため、吸収体４の両側部で防漏壁が形成される。そのため、排泄物や体液が吸収体４に吸収される前に幅方向に広がったとしても、吸収体４の両側部からなる防漏壁により漏れが防止される。
【００５０】
次に、本発明の吸収性物品の第３実施形態について説明する。第３実施形態は、第１実施形態における吸収性物品１の長手方向に沿う上面固定部材５Ａと、第２実施形態における吸収性物品１の幅方向に沿う上面固定部材５Ｂとを併せて備えたものである（図示せず）。このように、本発明においては、吸収性物品１の長手方向に非伸長性の部材からなり吸収性物品１の長手方向に離間した接合部Ｓ１，Ｓ１で吸収性本体１０の肌当接面側に接合されている複数の上面固定部材５Ａ，５Ａと、吸収性物品１の幅方向に非伸長性の部材からなり吸収性物品１の幅方向に離間した接合部Ｓ２，Ｓ２で吸収性本体１０の肌当接面側に接合されている複数の上面固定部材５Ｂ，５Ｂとを併せて備えることができる。
【００５１】
従って、第３実施形態の使い捨ておむつによれば、前述の第１実施形態の効果及び第２実施形態の効果が併せて奏される。例えば、装着時に吸収層６は上面固定部材５Ａ，５Ｂ側が凹んだ形態で吸収性物品１の長手方向に湾曲すると共に、吸収性物品１の幅方向にも湾曲するため、吸収体４の長手方向前部４Ａ及び後部４Ｂ並びに両側部で防漏壁が形成される。そのため、排泄物や体液が吸収体４に吸収される前に長手方向又は幅方向に広がったとしても、吸収体４の長手方向前部４Ａ及び後部４Ｂからなる防漏壁又は吸収体４の両側部からなる防漏壁により漏れが防止される。
【００５２】
本発明の吸収性物品は、前述した実施形態に制限されることなく、本発明の趣旨を逸脱しない限り適宜変更が可能である。
吸収性物品１の長手方向に沿う複数の帯状の上面固定部材５Ａ又は吸収性物品１の幅方向に沿う複数の帯状の上面固定部材５Ｂは、使用者の排泄部に当たらない範囲で、形状及び大きさを適宜変更することができ、それぞれ、長手方向又は幅方向ごとに３個以上設けることができる。
【００５３】
吸収性物品１の長手方向に沿う上面固定部材５Ａの接合部Ｓ１又は吸収性物品１の幅方向に沿う上面固定部材５Ｂの接合部Ｓ２の位置は、本発明の効果が得られる範囲で、適宜変更することができる。
裏面シート３１とその外側に貼り付けられた外層不織布３２とからなる防漏層３においては、外層不織布３２は、通気部７に対応する領域のみに設けることができる。
【００５４】
通気部７は、前記実施形態においては、吸収性本体１０の長手方向前部１０Ａと吸収体４の長手方向前部４Ａとの間の領域及び吸収性本体１０の長手方向後部１０Ｂと吸収体４の長手方向後部４Ｂとの間の領域の両方に設けられているが、本発明においては、何れか一方の領域のみに設けられていてもよい。また、通気部７は設けられていなくてもよい。
通気部７は、前記実施形態における通気部７の構成に制限されず、例えば、疎水性部材７１の上部に（上面シート５側に）、表面シートが設けられていない構成でもよい。
【００５５】
本発明は、展開型の使い捨ておむつに制限されず、パンツ型の使い捨ておむつに適用することができる。また、使い捨ておむつに制限されず、生理用ナプキン、パンティライナー（おりものシート）、失禁パッド等にも適用することができる。
【図面の簡単な説明】
【００５６】
【図１】図１は、本発明の吸収性物品の第１実施形態としての使い捨ておむつを示す斜視図である。
【図２】図２は、図１に示す使い捨ておむつを引き伸ばした状態で示す平面図である。
【図３】図３は、図１に示す使い捨ておむつの装着状態（使用者の体の図示は省略）を幅方向中央部で長手方向に切断した模式的縦断面図である。
【図４】図４は、図２に示す使い捨ておむつにおける吸収性本体から表面シート等を仮想的に分離させた状態を示す平面図である。
【図５】図５は、図１に示す使い捨ておむつにおける吸収性本体の長手方向前部を幅方向中央部で長手方向に切断した模式的縦断面図である。
【図６】図６は、第２実施形態の使い捨ておむつを示す図で、（ａ）は斜視図、（ｂ）は（ａ）に示すＢ−Ｂ断面図である。
【符号の説明】
【００５７】
１  吸収性物品（使い捨ておむつ）
１０  吸収性本体
１０Ａ  長手方向前部
１０Ｂ  長手方向後部
２  表面シート
３  防漏層
３１  裏面シート
４  吸収体
４Ａ  長手方向前部
４Ｂ  長手方向後部
５Ａ，５Ｂ  上面固定部材
６  吸収層
７  通気部
７１  疎水性部材
１３  サイドギャザー形成用シート
１３Ｂ  サイドギャザー
Ｓ１，Ｓ２  接合部
【図１】
2007105128.tif 000003
【図２】
2007105128.tif 000004
【図３】
2007105128.tif 000005
【図４】
2007105128.tif 000006
【図５】
2007105128.tif 000007
【図６】
2007105128.tif 000008